(57)【要約】【課題】  本発明は、汎地球位置システムから提供する時間情報を移動通信網とデータ通信網とがそれぞれ受信して移動通信網とデータ通信網の無線環境及びデータ環境を１つの時間軸上で測定し分析することのできる通信網におけるデータ測定システムを提供する。【解決手段】  本発明に係る通信網におけるデータ測定システムは、衛星航法システム（ＧＰＳ）から受信された時間情報を提供する衛星航法システム受信器と、移動局の移動通信サービスを支援する基地局と前記移動局のデータ通信サービスを支援するパケットデータサーブノード（ＰＤＳＮ）間の通信プロトコルおよび通信環境情報を前記衛星航法システム受信器が提供する時間情報と共に収集して提供する第１パケットデータ収集装置と、前記移動局の無線通信環境、データ通信環境および移動通信プロトコルのうち少なくとも１つを前記衛星航法システム時間情報と共に前記移動局から伝達され、前記移動局のパケットデータ通信環境およびデータ通信プロトコルのうち少なくとも１つを前記時間情報と共に前記第１パケットデータ収集装置から伝達され、１つの時間軸上で測定および分析する移動局-パケットデータサーブモニターリング装置（ＭＰＭＳ）とを含む。
2006504326.tif 000002
【特許請求の範囲】
【請求項１】
衛星航法システム（ＧＰＳ）から受信された時間情報を提供する衛星航法システム受信器と、
移動局の移動通信サービスを支援する基地局と前記移動局のデータ通信サービスを支援するパケットデータサーブノード（ＰＤＳＮ）間の通信プロトコルおよび通信環境情報を前記衛星航法システム受信器が提供する時間情報と共に収集して提供する第１パケットデータ収集装置と、
前記移動局の無線通信環境、データ通信環境および移動通信プロトコルのうち少なくとも１つを前記衛星航法システム時間情報と共に前記移動局から伝達され、前記移動局のパケットデータ通信環境およびデータ通信プロトコルのうち少なくとも１つを前記時間情報と共に前記第１パケットデータ収集装置から伝達され、１つの時間軸上で測定および分析する移動局-パケットデータサーブモニターリング装置（ＭＰＭＳ）とを含むことを特徴とする通信網におけるデータ測定システム。
【請求項２】
前記パケットデータサーブノードとアプリケーションサーバ間の通信プロトコルおよび通信環境情報のうち少なくとも１つを前記衛星航法システム受信器から提供される前記時間情報と共に収集し、前記移動局-パケットデータサーブノードモニターリング装置に提供する第２パケットデータ収集装置をさらに含み、
前記移動局-パケットデータサーブノードモニターリング装置（ＭＰＭＳ）は、前記移動局の無線通信環境、データ通信環境、および移動通信プロトコルのうち少なくとも１つを前記衛星航法システム時間情報と共に前記移動局から伝達され、前記移動局のパケットデータ通信環境およびデータ通信プロトコルのうち少なくとも１つを前記時間情報と共に前記第２パケットデータ収集装置から伝達され１つの時間軸上で測定および分析することを特徴とする請求項１に記載の通信網におけるデータ測定システム。
【請求項３】
前記移動局と、前記第１および第２パケットデータ収集装置のうち少なくとも１つに伝達される通信プロトコルおよび通信環境情報を前記移動局-パケットデータサーブノードモニターリング装置（ＭＰＭＳ）から伝達され、格納、測定、分析するコンピューティング装置をさらに含むことを特徴とする請求項１または２に記載の通信網におけるデータ測定システム。
【請求項４】
移動局の移動通信サービスを支援する基地局と、前記移動局のデータ通信サービスを支援するパケットデータサーブノード（ＰＤＳＮ）間の通信プロトコルおよび通信環境情報のうち少なくとも１つを衛星航法システム時間情報と共に収集する第１データ通信網測定ステップと、
移動局の無線通信環境、データ通信環境、および移動通信プロトコルのうち少なくとも１つを前記衛星航法システム時間情報と共に収集する移動通信網測定ステップと、
前記第１データ通信網測定ステップおよび前記移動通信網測定ステップにおいて、収集したデータを１つの時間軸上で測定および分析するステップとを含むことを特徴とする通信網におけるデータ測定方法。
【請求項５】
前記パケットデータサーブノード（ＰＤＳＮ）とアプリケーションサーバ間のデータ通信プロトコルおよびパケットデータ通信環境情報のうち少なくとも１つを前記衛星航法システム時間情報と共に収集する第２データ通信網測定ステップと、
前記第２データ通信網測定ステップおよび前記移動通信網測定ステップにおいて、収集したデータを１つの時間軸上で測定および分析するステップとをさらに含むことを特徴とする請求項４に記載の通信網におけるデータ測定方法。
【請求項６】
前記移動通信網測定ステップと、前記第１および第２データ通信網測定ステップにおいて、収集したデータをコンピューティング装置に伝達して、格納、測定、分析するステップをさらに含むことを特徴とする請求項４または５に記載の通信網におけるデータ測定方法。
【発明の詳細な説明】
【技術分野】
【０００１】
本発明は、通信網におけるデータ測定システムおよびその測定方法に関し、詳細には汎地球位置のシステムで提供する時間情報を移動通信網とデータ通信網との区間のデータ測定にそれぞれを付加させ、移動通信網とデータ通信網の無線環境およびデータ環境を１つの時間軸上に分析することのできる通信網におけるデータ測定システムおよびその測定方法に関する。
【背景技術】
【０００２】
無線通信技術の発展に伴なって、携帯電話の使用コストが安くなると同時に、走行中の車においても高品質の通過ができる、向上された通過品質により、携帯電話（以下、移動局と称する）の使用が急増しつつある。
【０００３】
係る移動局は基本的に移動通信システム（以下、移動通信網と称する）を介して通信のやり取りを行う。すなわち、有線網が一般の電話網（ＰＳＴＮ）と総合情報通信網（ＩＳＤＮ）を介して非同期伝送方式（ＡＴＭ）広帯域総合情報通信網（Ｂ−ＩＳＤＮ）に発展するにつれ、移動通信網も音声サービスであるデジタルセルラーネットワーク（ＤＣＮ）、個人携帯通信サービス（ＰＳＣ）を介して高速データ、パケット、映像などのマルチメディアを支援することのできる移動通信（ＩＭＴ−２０００）網へと進化している。
【０００４】
最近は、ユーザが次第にマルチメディアサービス、無線インタネットサービスといったデータサービスを移動局で要求している。パケットデータサーブノード（以下、ＰＳＤＮと称する）は、係る移動通信網のデータサービスを提供するためのデータ交換システム（以下、データ通信網と称する）として、２Ｇ、２.５Ｇ、およびＩＭＴ２０００超高速無線インタネットサービスを提供するための必須構成要素である。
【０００５】
ＰＤＳＮは今までのルータ装備基盤のシステムとは相違に、ユニックサーバ基盤のシステムの常用化が可能であり、データバックアップ機能とアプリケーション変更などが容易であるため運用し易く、且つ規模別にパッケージ化されているため、小型または大型サーバ単位で増設し易い長所を持つ。
【０００６】
一方、移動通信網では、移動通信網の無線環境およびデータ環境を測定して移動通信網の品質を測定し、データ通信網もやはりデータ環境を測定してデータ通信網の品質を測定する必要がある。
【０００７】
しかしながら、今までは、移動通信網とデータ通信網それぞれで各時間を基準にして無線環境およびデータ環境を測定するだけであって、それぞれの通信網での時間同期は合わせていない状態であるため、移動通信網とデータ通信網、または移動通信網プロトコルとデータ通信網プロトコルを連携して品質の測定および故障などを診断することはできなかった。
【発明の開示】
【発明が解決しようとする課題】
【０００８】
本発明は前述した問題点を解決するために案出されたもので、本発明の目的は、汎地球位置システムから提供する時間情報を移動通信網とデータ通信網とがそれぞれ受信して移動通信網とデータ通信網の無線環境及びデータ環境を１つの時間軸上で測定し分析することのできる通信網におけるデータ測定システムを提供することにある。
【課題を解決するための手段】
【０００９】
前述の目的を達成するための本発明に係る通信網におけるデータ測定システムは、衛星航法システム（ＧＰＳ）から受信された時間情報を提供する衛星航法システム受信器と、移動局の移動通信サービスを支援する基地局と前記移動局のデータ通信サービスを支援するパケットデータサーブノード（ＰＤＳＮ）間の通信プロトコルおよび通信環境情報を前記衛星航法システム受信器が提供する時間情報と共に収集して提供する第１パケットデータ収集装置と、前記移動局の無線通信環境、データ通信環境、および移動通信プロトコルのうち少なくとも１つを前記衛星航法システム時間情報と共に前記移動局から伝達され、前記移動局のパケットデータ通信環境およびデータ通信プロトコルのうち少なくとも１つを前記時間情報と共に前記第１パケットデータ収集装置から伝達され、１つの時間軸上で測定および分析する移動局-パケットデータサーブモニターリング装置（ＭＰＭＳ）とを含む。
【００１０】
好ましくは、前記データ測定システムは、前記パケットデータサーブノードとアプリケーションサーバ間の通信プロトコルおよび通信環境情報のうち少なくとも１つを前記衛星航法システム受信器から提供される前記時間情報と共に収集し、前記移動局-パケットデータサーブノードモニターリング装置に提供する第２パケットデータ収集装置をさらに含み、前記移動局-パケットデータサーブノードモニターリング装置（ＭＰＭＳ）は、前記移動局の無線通信環境、データ通信環境、および移動通信プロトコルのうち少なくとも１つを前記衛星航法システム時間情報と共に前記移動局から伝達され、前記移動局のパケットデータ通信環境およびデータ通信プロトコルのうち少なくとも１つを前記時間情報と共に前記第２パケットデータ収集装置から伝達され１つの時間軸上で測定および分析することができる。
【００１１】
そして、前記移動局と、前記第１および第２パケットデータ収集装置のうち少なくとも１つに伝達される通信プロトコルおよび通信環境情報を前記移動局-パケットデータサーブノードモニターリング装置（ＭＰＭＳ）から伝達され、格納、測定、分析するコンピューティング装置をさらに含むことが好ましい。
【００１２】
一方、本発明に係る通信網におけるデータ測定方法は、移動局の移動通信サービスを支援する基地局と、前記移動局のデータ通信サービスを支援するパケットデータサーブノード（ＰＤＳＮ）間の通信プロトコルおよび通信環境情報のうち少なくとも１つを衛星航法システム時間情報と共に収集する第１データ通信網測定ステップと、移動局の無線通信環境、データ通信環境および移動通信プロトコルのうち少なくとも１つを前記衛星航法システム時間情報と共に収集する移動通信網測定ステップと、前記第１データ通信網測定ステップおよび前記移動通信網測定ステップにおいて、収集したデータを１つの時間軸上で測定および分析するステップとを含む。
【００１３】
好ましくは、前記パケットデータサーブノード（ＰＤＳＮ）とアプリケーションサーバ間のデータ通信プロトコルおよびパケットデータ通信環境情報のうち少なくとも１つを前記衛星航法システム時間情報と共に収集する第２データ通信網測定ステップと、前記第２データ通信網測定ステップおよび前記移動通信網測定ステップにおいて、収集したデータを１つの時間軸上で測定および分析するステップとをさらに含むことが好ましい。
【００１４】
そして、前記移動通信網測定ステップと、前記第１および第２データ通信網測定ステップにおいて、収集したデータをコンピューティング装置に伝達して、格納、測定、分析するステップをさらに含むことが好ましい。
【発明の効果】
【００１５】
本発明に係る通信網におけるデータ測定システムによれば、移動通信網とデータ通信網を連動してサービスを提供する無線データサービスの品質を測定および将来を診断するために、移動通信網およびデータ通信網を同期のような時間情報を用いて測定すると共に、故障の際精密に診断することができるので無線データサービスの品質が向上される。
【発明を実施するための最良の形態】
【００１６】
以下、添付の図面に基づいて本発明の好適な実施形態を詳述する。
【実施例】
【００１７】
図１は本発明に係る通信網におけるデータ測定システムおよびその動作環境を説明するための図である。図１には、移動局２０、基地局３０、制御部（ＢＳＣ／ＰＣＦ）４０、ＰＤＳＮ５０、アプリケーションサーバ６０、衛星航法システム（以下、ＧＰＳと称する）１００および本発明に係る通信網における測定システム９５が図示されている。本通信網における測定システム９５は、移動局-ＰＤＳＮモニターリング装置１０（以下、ＭＰＭＳと称する）、第１パケットデータ収集装置７０、第２パケットデータ収集装置８０、第１および第２パケットデータ収集装置７０，８０にＧＰＳ１００から受信された時間情報を提供するＧＰＳ受信器９０を含んでなる。
【００１８】
移動局２０は、通常、携帯電話またはテスト用携帯電話であり、基地局３０と制御部４０は移動局２０の無線区間における通信サービスを提供する。
【００１９】
第１パケットデータ収集装置は制御部４０とＰＤＳＮ５０との間の通信プロトコルおよび通信環境情報を収集し、第２パケットデータ収集装置８０はＰＤＳＮ５０とアプリケーションサーバ６０との間の通信プロトコルおよび通信環境情報を収集する。
【００２０】
ＭＰＭＳ１０は、移動局２０の移動通信プロトコル、通信環境と第１および第２データパケット収集装置７０，８０で収集されたパケットデータプロトコルおよび通信環境を測定および分析する。
【００２１】
移動局２０は、基地局３０を介してＧＰＳ１００から時間情報を受信し、第１および第２データ収集装置７０，８０はＧＰＳ受信器９０と接続されＧＰＳ１００から時間情報を受信する。第１および第２パケットデータ収集装置７０，８０に接続されたＧＰＳ受信器９０は、場合に応じて第１および第２パケットデータ収集装置７０，８０にそれぞれ設けられる。従って、移動局２０と第１および第２データパケットデータ収集器７０，８０との間には時間同期が合わせられる。
【００２２】
図２は本発明に係るデータ測定システムにおける移動通信網とデータ通信網における時間同期によるデータ測定方法を説明するための図である。
【００２３】
本発明に係るデータ測定システムは、その中から移動通信網には、前もって説明したように、移動通信網の無線環境とデータ環境および移動通信プロトコルと、データ通信網のデータ環境およびデータ通信プロトコルを測定する。
【００２４】
移動通信網における無線環境は、例えば、テスト中の移動局２０のフィンガー情報、探索器（サーチャ）情報、ＣＡＩ（コモンエアインタフェース）メッセージ、受信電力、送信電力、フレームエラー率（ＦＥＲ）、送信調整、受信データ率、送信データ率などがある。
【００２５】
そして移動通信網におけるデータ環境はＲＬＰ、ＰＰＰ、ＦＴＰなどのデータ性能（スループット）、データプロトコル（ＰＰＰ、ＩＰ、ＴＣＰ、ＵＤＰ、ＤＮＳ，ＩＣＭＰなど）キャプチャー、ＰＰＰ，ＩＰ、ＴＣＰ、ＵＤＰ、ＤＮＳ、ＩＣＭＰなどのデータプロトコル表示、ＴＣＰウィンドサイズ、自動データ（ＦＴＰ、ＰＰＰ、ＷＡＰ）および音声生成などがある。
【００２６】
そして、データ通信網、その中にもＰＤＳＮ区間のデータ環境は、ＲＬＰ、ＰＰＰ、ＦＴＰなどのデータ性能、データプロトコル（ＰＰＰ、ＩＰ、ＴＣＰ、ＵＤＰ、ＤＮＳ、ＩＣＭＰなど）キャプチャー、ＰＰＰ、ＩＰ、ＴＣＰ、ＵＤＰ、ＤＮＳ、ＩＣＭＰなどのデータプロトコル表示、ＴＣＰウィンドサイズなどがある。
【００２７】
なお、図２に示したように、ＧＰＳ１００を用いて移動局２０と、第１、第２パケットデータ収集装置７０，８０との間時間同期させた場合、移動局２０と第１および第２パケットデータ収集装置７０，８０で測定に必要なイベント（ｅｖｅｎｔ）が発生した場合、移動局２０は発生されたイベント（無線環境または移動通信網のデータ環境およびプロトコル）を時間情報と共にＭＰＭＳ１０へ報告する。第１パケットデータ収集装置７０は制御部４０とＰＤＳＮ５０間に送受信されるイベント（データ環境およびプロトコル）を時間情報と共にＭＰＭＳ１０に報告し、第２パケットデータ収集装置８０もＰＤＳＮ５０とＰＤＳＮ５０の次の端（例えば、図１に示したアプリケーションサーバ６０）の間に送受信されるイベントを時間情報と共にＭＰＭＳ１０に報告する。なお、ＭＰＭＳ１０は自体的にイベントを格納、測定、分析することができ、またはコンピューティング装置１１０と接続されデータを格納、測定、分析することができる。
【００２８】
図２に示したように、もしＭＰＭＳ１０が第１パケットデータ収集装置７０とは１秒のデータ遅延距離にあり、ＭＰＭＳ１０と第２パケットデータ収集装置８０とは１.５秒間のデータ遅延距離にありながら、第１および第２パケットデータ収集装置７０，８０がＧＰＳ１００からの時間情報をＧＰＳ受信器９０にて受信されなければ、ＭＰＭＳ１０へのデータ遅延距離により第１および第２パケットデータ遅延距離７０，８０からＭＰＭＳ１０に伝送された情報は、実際のイベント発生時点とＭＰＭＳ１０でのイベント受付時間とが相違になる。
【００２９】
しかし、移動局２０と第１および第２パケットデータ収集装置７０，８０が時間同期されている場合には、データ遅延距離に問わずＭＰＭＳ１０にて正確なイベント発生時間を分かることができる。
【００３０】
よって、移動局２０と第１および第２パケットデータ収集装置７０，８０の通信プロトコルおよび通信環境情報は１つの時間軸上でＭＰＭＳ１０において収集され、それによる測定および分析が可能になる。
【００３１】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３２】
【図１】本発明に係る通信網におけるデータ測定システムの一実施の形態を示した構成図である。
【図２】本発明に係る通信網におけるデータ測定システムにおける移動通信網とデータ通信網における時間同期によるデータ測定方法を説明するための図である。
【符号の説明】
【００３３】
１００  ＧＰＳ
１０    ＭＰＭＳ
２０    移動局
３０    基地局
４０    制御部
５０    ＰＤＳＮ
６０    アプリケーションサーバ
７０    第１パケットデータ収集装置
８０    第２パケットデータ収集装置
９０    ＧＰＳ受信器
【図１】
2006504326.tif 000003
【図２】
2006504326.tif 000004
【国際調査報告】
2006504326.tif 000005
2006504326.tif 000006